【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
第１の電力状態と、前記第１の電力状態よりも消費電力が少ない第２の電力状態に移行可能な情報処理装置であって、
起床要求を出力して前記情報処理装置を前記第２の電力状態から起床させる第１の起床装置と、
前記第１の起床装置の状態を記憶する記憶装置と、
起床要求を出力して前記情報処理装置を前記第２の電力状態から起床させる第２の起床装置と、
前記第２の起床装置からの起床要求に基づいて前記情報処理装置の状態を前記第２の電力状態から前記第１の電力状態に移行させる電源制御部と、を有し、
前記電源制御部は、前記第２の起床装置からの起床要求を受信した後、前記第１の起床装置の状態を取得し、前記記憶装置に記憶した前記第１の起床装置の状態と取得した前記第１の起床装置の状態との比較結果に基づいて表示部を点灯するか否かを決定する
ことを特徴とする情報処理装置。
【請求項２】
前記電源制御部は、前記第１の起床装置の状態が変化した場合、前記表示部を点灯する制御を実行する
ことを特徴とする請求項１に記載の情報処理装置。
【請求項３】
前記第１の起床装置は、原稿の画像を読み取る画像読取装置に置かれた原稿を検知する原稿検知センサであって、
前記電源制御部は、前記原稿検知センサが原稿を検知しない状態から、前記原稿検知センサが原稿を検知する状態に変化した場合、前記表示部を点灯する制御を実行する
ことを特徴とする請求項１または２に記載の情報処理装置。
【請求項４】
前記情報処理装置が前記第２の電力状態に移行するときに、前記情報処理装置が前記第２の電力状態に移行する前の前記第１の起床装置の状態が前記記憶装置に記憶される
ことを特徴とする請求項１から３のいずれか１項に記載の情報処理装置。
【請求項５】
前記比較結果は、前記記憶装置に記憶された前記第１の起床装置の状態と取得した前記第１の起床装置の状態とを比較することにより取得した、状態が変化している前記第１の起床装置の種別を含み
前記電源制御部は、前記第１の起床装置の種別に基づいて前記表示部を点灯するか否かを決定する
ことを特徴とする請求項１から４のいずれか１項に記載の情報処理装置。
【請求項６】
前記第１の起床装置の種別が、ユーザの操作に応じて前記情報処理装置を前記第２の電力状態から起床させる起床要求を出力する種別であった場合、前記電源制御部は、前記表示部を点灯する制御を実行する
ことを特徴とする請求項５に記載の情報処理装置。
【請求項７】
前記表示部は、ユーザからの指示入力を受け付ける
ことを特徴とする請求項６に記載の情報処理装置。
【請求項８】
前記第１の起床装置の種別が、ネットワークを介して送信されるデータを受信することに応じて前記情報処理装置を前記第２の電力状態から起床させる起床要求を出力する種別であった場合、前記電源制御部は、前記表示部の点灯を遅延させる制御を実行する
ことを特徴とする請求項５に記載の情報処理装置。
【請求項９】
前記表示部は、ユーザからの指示入力を受け付ける
ことを特徴とする請求項８に記載の情報処理装置。
【請求項１０】
第１の電力状態と、前記第１の電力状態よりも消費電力が少ない第２の電力状態に移行可能な情報処理装置の制御方法であって、
第１の起床装置から、前記情報処理装置を前記第２の電力状態から起床させる起床信号を出力する出力ステップと、
前記第１の起床装置の状態を記憶する記憶ステップと、
第２の起床装置から、前記情報処理装置を前記第２の電力状態から起床させる起床信号を出力する出力ステップと、
前記第２の起床装置からの起床要求に基づいて前記情報処理装置の状態を前記第２の電力状態から前記第１の電力状態に移行させる移行ステップと、
前記第２の起床装置からの起床要求を受信した後、前記第１の起床装置の状態を取得する取得ステップと、
前記記憶ステップにおいて記憶された前記第１の起床装置の状態と前記取得ステップにおいて取得したされた第１の起床装置の状態との比較結果に基づいて表示部を点灯するか否かを決定する決定ステップと、を有する
ことを特徴とする制御方法。
【請求項１１】
前記第１の起床装置の状態が変化した場合、前記表示部を点灯するように制御する制御ステップをさらに有する
ことを特徴とする請求項１０に記載の制御方法。
【請求項１２】
前記第１の起床装置は、原稿の画像を読み取る画像読取装置に置かれた原稿を検知する原稿検知センサであって、
前記原稿検知センサが原稿を検知しない状態から、前記原稿検知センサが原稿を検知する状態に変化した場合、前記表示部を点灯するように制御する制御ステップをさらに有する
ことを特徴とする請求項１０または１１に記載の制御方法。
【請求項１３】
前記情報処理装置が前記第２の電力状態に移行するときに、前記情報処理装置が前記第２の電力状態に移行する前の前記第１の起床装置の状態が前記記憶ステップにおいて記憶される
ことを特徴とする請求項１０から１２のいずれか１項に記載の制御方法。
【請求項１４】
前記比較結果は、前記記憶ステップにおいて記憶された前記第１の起床装置の状態と前記取得ステップにおいて取得された前記第１の起床装置の状態とを比較することにより取得した、状態が変化している前記第１の起床装置の種別を含み
前記決定ステップにおいて、前記第１の起床装置の種別に基づいて前記表示部を点灯するか否かが決定される
ことを特徴とする請求項１０から１３のいずれか１項に記載の制御方法。
【請求項１５】
前記第１の起床装置の種別が、ユーザの操作に応じて前記情報処理装置を前記第２の電力状態から起床させる起床要求を出力する種別であった場合、前記決定ステップにおいて、前記表示部を点灯する制御の実行が決定される
ことを特徴とする請求項１４に記載の制御方法。
【請求項１６】
前記表示部は、ユーザからの指示入力を受け付ける
ことを特徴とする請求項１５に記載の制御方法。
【請求項１７】
前記第１の起床装置の種別が、ネットワークを介して送信されるデータを受信することに応じて前記情報処理装置を前記第２の電力状態から起床させる起床要求を出力する種別であった場合、前記決定ステップにおいて、前記表示部の点灯を遅延させる制御の実行が決定される
ことを特徴とする請求項１４に記載の制御方法。
【請求項１８】
前記表示部は、ユーザからの指示入力を受け付ける
ことを特徴とする請求項１７に記載の制御方法。
【請求項１９】
省電力状態に移行可能な印刷装置であって、
装置と、
表示部と、
センサと、
ネットワークインターフェースと、
前記印刷装置の状態を、前記装置および前記表示部への電力供給が停止された前記省電力状態から、前記センサの検知結果に基づいて前記装置および前記表示部への電力が供給される第１の電力状態に移行させ、ならびに、前記印刷装置の状態を、前記ネットワークインターフェースが外部装置から所定のデータを受信することに基づいて、前記省電力状態から前記装置への電力が供給されているが前記表示部への電力供給は停止している第２の電力状態に移行させる電源制御部と、を有し、
前記ネットワークインターフェースが前記外部装置から前記所定のデータを受信したとき、前記電源制御部は、前記印刷装置の状態を、前記省電力状態から前記第２の電力状態に移行させ、前記ネットワークインターフェースが前記所定のデータを受信する前の前記センサの状態と、前記ネットワークインターフェースが前記所定のデータを受信した後の前記センサの状態との比較結果に基づいて、前記表示部への電力を供給するか否かを決定する
ことを特徴とする印刷装置。
【請求項２０】
前記電源制御部は、前記比較結果が前記センサの状態は変化していることを示す場合、前記表示部に電力を供給する制御を実行する
ことを特徴とする請求項１９に記載の印刷装置。
【手続補正２】
【補正対象書類名】明細書
【補正対象項目名】発明の名称
【補正方法】変更
【補正の内容】
【発明の名称】情報処理装置、情報処理装置の制御方法、印刷装置およびプログラム
【手続補正３】
【補正対象書類名】明細書
【補正対象項目名】０００１
【補正方法】変更
【補正の内容】
【０００１】
本発明は、情報処理装置、情報処理装置の制御方法、印刷装置およびプログラムに関し、より詳細には、情報処理装置を使用していないときに省電力状態とするサスペンド機能を有する情報処理装置、情報処理装置の制御方法、印刷装置およびプログラムに関する。
【手続補正４】
【補正対象書類名】明細書
【補正対象項目名】０００８
【補正方法】変更
【補正の内容】
【０００８】
本発明に係る情報処理装置は、第１の電力状態と、前記第１の電力状態よりも消費電力が少ない第２の電力状態に移行可能な情報処理装置であって、起床要求を出力して前記情報処理装置を前記第２の電力状態から起床させる第１の起床装置と、前記第１の起床装置の状態を記憶する記憶装置と、起床要求を出力して前記情報処理装置を前記第２の電力状態から起床させる第２の起床装置と、前記第２の起床装置からの起床要求に基づいて前記情報処理装置の状態を前記第２の電力状態から前記第１の電力状態に移行させる電源制御部と、を有し、前記電源制御部は、前記第２の起床装置からの起床要求を受信した後、前記第１の起床装置の状態を取得し、前記記憶装置に記憶した前記第１の起床装置の状態と取得した前記第１の起床装置の状態との比較結果に基づいて表示部を点灯するか否かを決定することを特徴とする。